(57)【要約】【課題】  組付け及び分解の作業を迅速容易に行なうこと。【解決手段】  メイン基板７ａ，７ｂ付きメインホルダ４が脚部８を介して基礎基板３上に固定され、サブ基板２１付きサブホルダ５が前記メインホルダ４に隣接して基礎基板３上に配置されると共に、該サブホルダ５の下端に一体突設されてメインホルダ４の下方まで延びる舌片５ａがビス２２により基礎基板３に止着された電子機器において、前記舌片止着用ビス２２に対向してメイン基板７ａ，７ｂ及びメインホルダ４に工具挿入孔２５が貫設されており、その工具挿入孔２５に工具２３を挿入するようにした。【選択図】        図２
2009116970.tif 000002
【特許請求の範囲】
【請求項１】
光ディスク装置本体の後方にメイン基板付きメインホルダが脚部を介して基礎基板上に
固定され、サブ基板付きサブホルダが前記メインホルダに隣接して基礎基板上に配置され
ると共に、該サブホルダの下端に一体突設されてメインホルダの下方まで延びる舌片がビ
スにより基礎基板に止着された電子機器において、前記舌片止着用ビスに対向してメイン
基板及びメインホルダに工具挿入孔が貫設され、下端から上端に向けて外向きテーパ状に
広がるテーパ筒を有し、該テーパ筒の下端の外径が前記工具挿入孔の内径と同一またはわ
ずかに小さく設定され、そのテーパ筒の下端に円筒状のガイド筒が一体突設されており、
該ガイド筒を工具挿入孔に嵌入させ、テーパ筒内からガイド筒内に工具を挿入するように
したことを特徴とする電子機器。
【請求項２】
メイン基板付きメインホルダが脚部を介して基礎基板上に固定され、サブ基板付きサブ
ホルダが前記メインホルダに隣接して基礎基板上に配置されると共に、該サブホルダの下
端に一体突設されてメインホルダの下方まで延びる舌片がビスにより基礎基板に止着され
た電子機器において、前記舌片止着用ビスに対向してメイン基板及びメインホルダに工具
挿入孔が貫設されており、該工具挿入孔に工具を挿入するようにしたことを特徴とする電
子機器。
【請求項３】
下端から上端に向けて外向きテーパ状に広がるテーパ筒を有し、該テーパ筒の下端の外
径が前記工具挿入孔の内径と同一またはわずかに小さく設定され、そのテーパ筒の下端に
弾性変位可能な複数のフックが一体突設されており、該各フックを工具挿入孔に係合させ
て該工具挿入孔にテーパ筒の下端を嵌合させ、そのテーパ筒内に工具を挿入するようにし
たことを特徴とする請求項２に記載の電子機器。
【請求項４】
下端から上端に向けて外向きテーパ状に広がるテーパ筒を有し、該テーパ筒の下端の外
径が前記工具挿入孔の内径と同一またはわずかに小さく設定され、そのテーパ筒の下端に
円筒状のガイド筒が一体突設されており、該ガイド筒を工具挿入孔に嵌入させ、テーパ筒
内からガイド筒内に工具を挿入するようにしたことを特徴とする請求項２に記載の電子機
器。
【請求項５】
メイン基板付きメインホルダが脚部を介して基礎基板上に固定され、サブ基板付きサブ
ホルダが前記メインホルダに隣接して基礎基板上に配置されると共に、該サブホルダの下
端に一体突設されてメインホルダの下方まで延びる舌片が複数のビスにより基礎基板に止
着された電子機器において、前記各舌片止着用ビスまたはその適当なビスに対向してメイ
ン基板及びメインホルダの外周縁に工具挿入凹部が形成されており、その工具挿入凹部に
工具を挿入するようにしたことを特徴とする電子機器。
【発明の詳細な説明】
【技術分野】
【０００１】
本発明は、例えば光ディスク装置などの電子機器に関し、特に、組付け及び分解の作業
を迅速容易に行なうことができるようにしたものである。
【背景技術】
【０００２】
従来、電子機器の一例として図９〜図１３に示すものがあり、これはＢｌｕ−ｒａｙ
Ｄｉｓｃ式のプレーヤ（またはレコーダ）などの光ディスク装置であって、図９は同平面
図、図１０は同横断面図、図１１は同要部の斜視図、図１２は同要部の分解斜視図、図１
３は同分解手順を示す横断面図である。
【０００３】
図９〜図１２に示すように、金属板製ボトムシャーシ１上の中央前方に光ディスク装置
本体２が固定され、該ボトムシャーシ１の中央後方にプリント配線基板からなるＡＶ基板
と称される基礎基板３を介してメインホルダ４が配置されると共に、該メインホルダ４に
隣接して基礎基板３上にサブホルダ５が配置され、該サブホルダ５に隣接してボトムシャ
ーシ１上にオーディオ系機材６が配置されている。
【０００４】
図９に示すように、前記光ディスク装置本体２は、前後進ａ，ｂ可能なトレイ２ａを有
しており、前進ａさせたトレイ２ａ上に光ディスクＤを載置し、該トレイ２ａを後進ｂさ
せた後、そのトレイ２ａ上の光ディスクＤをターンテーブルで持ち上げて高速回転させ、
その光ディスクＤに記録されている情報を光ピックアップにより読み取り、再生などの操
作を行なう。
【０００５】
図１０〜図１２に示すように、前記メインホルダ４は、プリント基板からなる上下２枚
のメイン基板７ａ，７ｂを支持するものであって、合成樹脂により成形されており、平面
視略Ｌ字状底板４ａと、該底板４ａの外周縁から起立させた側板４ｂとを有し、底板４ａ
が基礎基板３上に突設した複数（この例では３つ）の脚部８上に載置されてビス９で該各
脚部８に止着され、側板４ｂの両外側面にビス孔１０付き受け部４ｃが一体突設されてい
る。
【０００６】
図１０〜図１２に示すように、前記下側メイン基板７ｂは、該下側メイン基板７ｂの下
面に固着した平面視略ロ字状補強枠１２から下方に延びる複数（この例では３本）のボス
部１２ａをメインホルダ４の底板４ａ上に載置し、該各ボス部１２ａを貫通してビス１３
を底板４ａのビス孔１４にねじ込むことにより、メインホルダ４内に固定されている。
【０００７】
図１０〜図１２に示すように、前記上側メイン基板７ａは、平面視略ロ字状補強枠１６
内にビス１７で止着され、補強枠１６の両側部を貫通する複数の貫通孔１８を通して前記
受け部４ｃのビス孔１０にビス１９をねじ込むことにより、メインホルダ４の上面に固定
されている。
【０００８】
図１０〜図１２に示すように、サブホルダ５は、プリント基板からなるサブ基板２１を
支持するものであって、金属板を折り曲げて形成されており、該サブホルダ５の下端に一
体突設されてメインホルダ４の下方まで延びる舌片５ａが適当数（この例では２つ）のビ
ス２２により基礎基板３に止着されている。
【０００９】
組付け手順を説明すると、図１３に実線で示すように、サブ基板２１付きサブホルダ５
を基礎基板３上に載置し、ドライバからなる工具２３によりビス２２で舌片５ａを基礎基
板３に止着し、そのサブホルダ５を基礎基板３上の所定位置に固定する。次に、図１０に
示すように、メインホルダ４を各脚部８上に載置してビス９で固定し、該メインホルダ４
に下側メイン基板７ｂと上側メイン基板７ａとをそれぞれビス１３，１９で止着し、各メ
イン基板７ａ，７ｂ及びサブ基板２１やオーディオ系機材６をフレキシブルフラットケー
ブル（図示せず）を介して光ディスク装置本体２に接続する。
【００１０】
分解手順は、上記とは逆であるから、その説明を省略する。なお、関連する技術として
特許文献１に記載したものがある。
【特許文献１】実公平７−３９０２５号公報
【発明の開示】
【発明が解決しようとする課題】
【００１１】
上記従来の構成では、サブホルダ５の舌片５ａがメインホルダ４の下方に延びているの
で、組付け手順として、先にサブホルダ５を固定し、次にメインホルダ４を固定する必要
があり、組付け手順を間違えて先にメインホルダ４を固定すると、サブホルダ５を固定す
ることができなくなり、この場合には、先に固定したメインホルダ４を取り外して、組付
け作業をやり直さなければならず、手間と時間とがかかって面倒である。
【００１２】
また、分解手順として、先にメインホルダ４を取り外し、次にサブホルダ５を取り外す
必要があり、分解手順を変更して、そのサブホルダ５を先に取り外すことができず、分解
作業にも手間と時間とがかかって面倒である。
【００１３】
本発明は、上記従来の欠点に鑑み、組付け及び分解の作業を迅速容易に行なうことがで
きるようにした電子機器を提供することを目的としている。
【課題を解決するための手段】
【００１４】
上記目的を達成するため、請求項１に記載の発明は、光ディスク装置本体の後方にメイ
ン基板付きメインホルダが脚部を介して基礎基板上に固定され、サブ基板付きサブホルダ
が前記メインホルダに隣接して基礎基板上に配置されると共に、該サブホルダの下端に一
体突設されてメインホルダの下方まで延びる舌片がビスにより基礎基板に止着された電子
機器において、前記舌片止着用ビスに対向してメイン基板及びメインホルダに工具挿入孔
が貫設され、下端から上端に向けて外向きテーパ状に広がるテーパ筒を有し、該テーパ筒
の下端の外径が前記工具挿入孔の内径と同一またはわずかに小さく設定され、そのテーパ
筒の下端に円筒状のガイド筒が一体突設されており、該ガイド筒を工具挿入孔に嵌入させ
、テーパ筒内からガイド筒内に工具を挿入するようにしたことを特徴としている。
【００１５】
請求項２に記載の発明は、メイン基板付きメインホルダが脚部を介して基礎基板上に固
定され、サブ基板付きサブホルダが前記メインホルダに隣接して基礎基板上に配置される
と共に、該サブホルダの下端に一体突設されてメインホルダの下方まで延びる舌片がビス
により基礎基板に止着された電子機器において、前記舌片止着用ビスに対向してメイン基
板及びメインホルダに工具挿入孔が貫設されており、該工具挿入孔に工具を挿入するよう
にしたことを特徴としている。
【００１６】
請求項３に記載の発明は、請求項２に記載の発明において、下端から上端に向けて外向
きテーパ状に広がるテーパ筒を有し、該テーパ筒の下端の外径が前記工具挿入孔の内径と
同一またはわずかに小さく設定され、そのテーパ筒の下端に弾性変位可能な複数のフック
が一体突設されており、該各フックを工具挿入孔に係合させて該工具挿入孔にテーパ筒の
下端を嵌合させ、そのテーパ筒内に工具を挿入するようにしたことを特徴としている。
【００１７】
請求項４に記載の発明は、請求項２に記載の発明において、下端から上端に向けて外向
きテーパ状に広がるテーパ筒を有し、該テーパ筒の下端の外径が前記工具挿入孔の内径と
同一またはわずかに小さく設定され、そのテーパ筒の下端に円筒状のガイド筒が一体突設
されており、該ガイド筒を工具挿入孔に嵌入させ、テーパ筒内からガイド筒内に工具を挿
入するようにしたことを特徴としている。
【００１８】
請求項５に記載の発明は、メイン基板付きメインホルダが脚部を介して基礎基板上に固
定され、サブ基板付きサブホルダが前記メインホルダに隣接して基礎基板上に配置される
と共に、該サブホルダの下端に一体突設されてメインホルダの下方まで延びる舌片が複数
のビスにより基礎基板に止着された電子機器において、前記各舌片止着用ビスまたはその
適当なビスに対向してメイン基板及びメインホルダの外周縁に工具挿入凹部が形成されて
おり、その工具挿入凹部に工具を挿入するようにしたことを特徴としている。
【発明の効果】
【００１９】
請求項１に記載の発明は第３の実施の形態（図７参照）に対応するものであって、これ
によれば、組付け手順において、先にメインホルダを基礎基板上に固定した場合でも、次
にサブホルダを基礎基板上の所定位置に配置した後、工具挿入孔のテーパ筒内からガイド
筒内に挿入した工具で舌片止着用ビスの止着作業を行ってサブホルダを基礎基板に固定す
ることができるものであって、メインホルダとサブホルダとのどちらでも先に組付けるこ
とができるから、その組付け作業を容易に行うことができる。
【００２０】
また、分解手順としても、メインホルダを組付けた状態で、工具挿入孔のテーパ筒内か
らガイド筒内に挿入した工具で舌片止着用ビスの止着を解除することにより、サブホルダ
を取り外すことができるものであって、メインホルダとサブホルダとのどちらでも先に取
り外すことができるから、その分解作業も容易に行うことができる。
【００２１】
ここで、テーパ筒付きガイド筒を工具挿入孔に嵌入させているから、そのテーパ筒から
ガイド筒内に工具を挿入することにより、該工具の先端を基礎基板上の舌片止着用ビスま
で一層確実に案内することができる。
【００２２】
要するに、メインホルダ及びサブホルダの組付け及び分解の作業を迅速容易に行なうこ
とができ使い勝手の良い光ディスク装置を提供することができる。
【００２３】
請求項２に記載の発明によれば、組付け手順において、先にメインホルダを基礎基板上
に固定した場合でも、次にサブホルダを基礎基板上の所定位置に配置した後、工具挿入孔
に挿入した工具で舌片止着用ビスの止着作業を行ってサブホルダを基礎基板に固定するこ
とができるものであって、メインホルダとサブホルダとのどちらでも先に組付けることが
できるから、その組付け作業を容易に行うことができる。
【００２４】
また、分解手順としても、メインホルダを組付けた状態で、工具挿入孔に挿入した工具
で舌片止着用ビスの止着を解除することにより、サブホルダを取り外すことができるもの
であって、メインホルダとサブホルダとのどちらでも先に取り外すことができるから、そ
の分解作業も容易に行うことができる。
【００２５】
請求項３に記載の発明によれば、テーパ筒の下端を工具挿入孔に嵌合させた状態で、そ
のテーパ筒内に工具を挿入することにより、該工具の先端を基礎基板上の舌片止着用ビス
まで案内することができる。
【００２６】
請求項４に記載の発明によれば、テーパ筒付きガイド筒を工具挿入孔に嵌入させた状態
で、そのテーパ筒内からガイド筒内に工具を挿入することにより、該工具の先端を基礎基
板上の舌片止着用ビスまで一層確実に案内することができる。
【００２７】
請求項５に記載の発明は第４の実施の形態（図８参照）に対応するものであって、これ
によれば、メイン基板及びメインホルダの側方から工具を工具挿入凹部に挿入することに
より、該工具の先端を基礎基板上の舌片止着用ビスまで案内して、そのビスの止着及び止
着解除を簡単に行うことができる。
【発明を実施するための最良の形態】
【００２８】
図１〜図５は本発明の第１の実施を形態である電子機器を示すものであり、これはＢｌ
ｕ−ｒａｙ  Ｄｉｓｃ式のプレーヤ（またはレコーダ）などの光ディスク装置であって、
図１は同平面図、図２は同横断面図、図３は同要部の斜視図、図４は同要部の分解斜視図
、図５は同要部の部分拡大斜視図である。
【００２９】
図１〜図５に示すように、各舌片止着用ビス２２に対向してメイン基板７ａ，７ｂ及び
メインホルダ４に工具挿入孔２５が上下方向に沿って貫設されている。上記以外の構成は
図９〜図１２に示す構成とほぼ同じであるから、同一部分に同一符号を付してその説明を
省略する。
【００３０】
組付け手順を説明すると、先にメイン基板７ａ，７ｂ付きメインホルダ４をビス９で基
礎基板３に固定した場合には、次に、図１に一点鎖線で示すように、ボトムシャーシ１の
後方からサブ基板２１付きサブホルダ５をメインホルダ４とオーディオ系機材６との間に
差し込んで基礎基板３上に配置した後、図２に示すように、ドライバからなる工具２３を
工具挿入孔２５に挿入し、該工具２３によりビス２２で舌片５ａを基礎基板３に止着し、
そのサブホルダ５を基礎基板３上の所定位置に固定する。
【００３１】
分解手順を説明すると、先にサブホルダ５を取り出すときには、図２に示すように、ド
ライバからなる工具２３を工具挿入孔２５に挿入し、該工具２３によりビス２２の止着を
解除し、次に、図１に一点鎖線で示すように、サブホルダ５を後方に引っ張り出す。
【００３２】
上記構成によれば、組付け手順において、先にメインホルダ４を基礎基板３上に固定し
た場合でも、次にサブホルダ５を基礎基板３上の所定位置に配置した後、工具挿入孔２５
に挿入した工具２３で舌片止着用ビス２２の止着作業を行ってサブホルダ５を基礎基板３
に固定することができるものであって、メインホルダ４とサブホルダ５とのどちらでも先
に組付けることができるから、その組付け作業を容易に行うことができる。
【００３３】
また、分解手順としても、メインホルダ４を組付けた状態で、工具挿入孔２５に挿入し
た工具２３で舌片止着用ビス２２の止着を解除することにより、サブホルダ５を取り外す
ことができるものであって、メインホルダ４とサブホルダ５とのどちらでも先に取り外す
ことができるから、その分解作業も容易に行うことができる。
【００３４】
要するに、メインホルダ４及びサブホルダ５の組付け及び分解の作業を迅速容易に行な
うことができ使い勝手の良い光ディスク装置を提供することができる。
【００３５】
図６は本発明の第２の実施を形態である電子機器を示すものであり、図６（ａ）は同要
部の部分拡大斜視図、（ｂ）は同要部の部分拡大縦断面図である。
【００３６】
図６に示すように、下端から上端に向けて外向きテーパ状に広がるテーパ筒２６を有し
、該テーパ筒２６の下端の外径ｄ１が工具挿入孔２５の内径ｄ２と同一またはわずかに小
さく設定され、そのテーパ筒２６の下端に弾性変位可能な複数のフック２６ａが一体突設
されており、該各フック２６ａを上側メイン基板７ａ及び補強枠１６の工具挿入孔２５に
係合させて該工具挿入孔２５にテーパ筒２６の下端を嵌合させ、そのテーパ筒２６内に工
具２３を挿入するようにした。上記以外の構成は図１〜図５に示す第１の実施の形態とほ
ぼ同じであるから、同一部分に同一符号を付してその説明を省略する。
【００３７】
上記構成によれば、工具挿入孔２５のテーパ筒２６内に工具２３を挿入することにより
、該工具２３の先端を基礎基板３上の舌片止着用ビス２２まで案内することができる。
【００３８】
図７は本発明の第３の実施を形態である電子機器を示すものであり、図６（ａ）は同要
部の部分拡大斜視図、（ｂ）は同要部の部分拡大縦断面図である。
【００３９】
図７に示すように、第２の実施の形態（図６参照）のテーパ筒２６の下端に円筒状のガ
イド筒２７が一体突設されたものであって、該ガイド筒２７を工具挿入孔２５に嵌入させ
、テーパ筒２６内からガイド筒２７内に工具２３を挿入するようにした。上記以外の構成
は図１〜図６に示す第１、第２の実施の形態とほぼ同じであるから、同一部分に同一符号
を付してその説明を省略する。
【００４０】
上記構成によれば、工具挿入孔２５のテーパ筒２６内からガイド筒２７内に工具２３を
挿入することにより、該工具２３の先端を基礎基板３上の舌片止着用ビス２２まで一層確
実に案内することができる。
【００４１】
図８は本発明の第４の実施を形態である電子機器を示す要部の斜視図であり、後側の舌
片止着用ビス２２に対向してメイン基板７ａ，７ｂ及びメインホルダ４の外周縁に工具挿
入凹部２８が形成され、前側の舌片止着用ビス２２に対向して第１の実施の形態（図１〜
図５参照）と同じようにメイン基板７ａ，７ｂ及びメインホルダ４に工具挿入孔２５が貫
設されている。上記以外の構成は図１〜図５に示す第１の実施の形態とほぼ同じであるか
ら、同一部分に同一符号を付してその説明を省略する。
【００４２】
上記構成によれば、メイン基板７ａ，７ｂ及びメインホルダ４の側方から工具２３を工
具挿入凹部２８に嵌入させることにより、該工具２３の先端を基礎基板３上の舌片止着用
ビス２２まで案内して、そのビス２２の止着及び止着解除を簡単に行うことができる。
【産業上の利用可能性】
【００４３】
上記各実施の形態では、Ｂｌｕ−ｒａｙ  Ｄｉｓｃ式のプレーヤ（またはレコーダ）な
どの光ディスク装置を例にあげて説明したが、これに限定されるわけではなく，それ以外
の各種電子機器にも適用される。
【図面の簡単な説明】
【００４４】
【図１】本発明の第１の実施の形態である電子機器を示す平面図である。
【図２】同横断面図である。
【図３】同要部の斜視図である。
【図４】同要部の分解斜視図である。
【図５】同要部の部分拡大斜視図である。
【図６】（ａ）は本発明の第２の実施の形態である電子機器を示す要部の部分拡大斜視図、（ｂ）は同要部の部分拡大縦断面図である。
【図７】（ａ）は本発明の第３の実施の形態である電子機器を示す要部の部分拡大斜視図、（ｂ）は同要部の部分拡大縦断面図である。
【図８】本発明の第４の実施の形態である電子機器を示す要部の斜視図である。
【図９】従来例を示す平面図である。
【図１０】同横断面図である。
【図１１】同要部の斜視図である。
【図１２】同要部の分解斜視図である。
【図１３】同分解手順を示す横断面図である。
【符号の説明】
【００４５】
２          光ディスク装置本体
３          基礎基板
４          メインホルダ
５          サブホルダ
５ａ        サブホルダの舌片
７ａ，７ｂ  メイン基板
８          脚部
２１        サブ基板
２２        ビス
２３        工具
２５        工具挿入孔
２６        テーパ筒
２７        ガイド筒
２８        工具挿入凹部
ｄ１        テーパ筒の下端の外径
ｄ２        工具挿入孔の内径
【図１】
2009116970.tif 000003
【図２】
2009116970.tif 000004
【図３】
2009116970.tif 000005
【図４】
2009116970.tif 000006
【図５】
2009116970.tif 000007
【図６】
2009116970.tif 000008
【図７】
2009116970.tif 000009
【図８】
2009116970.tif 000010
【図９】
2009116970.tif 000011
【図１０】
2009116970.tif 000012
【図１１】
2009116970.tif 000013
【図１２】
2009116970.tif 000014
【図１３】
2009116970.tif 000015